(57)【特許請求の範囲】
【請求項１】
複数の子チャンネルのストリーム信号が多重化され、該多重化された信号が所定の変調方式により変調されて伝送されてくるグループチャンネルの信号を受信するデジタル受信装置であって、
受信した前記グループチャンネルの信号を復調する復調手段と、
前記受信したグループチャンネルの受信品質を検出する検出手段と、
前記復調手段によって復調された復調信号を、前記複数の子チャンネルのストリーム信号に分離する情報分離手段と、
前記情報分離手段で分離され、切替え手段で選択されて供給される子チャンネルのストリーム信号をデコードするデコード手段と、
受信品質と該受信品質に対してエラー耐性が適合するストリーム信号のデータ形式とを関連付ける適合情報を予め記憶する記憶手段と、
前記検出手段で検出された受信品質に対応するストリーム信号のデータ形式を、前記記憶手段に記憶されている適合情報から検索し、前記切替え手段で選択されているストリーム信号のデータ形式と前記検索したストリーム信号のデータ形式とが一致しない場合に、前記検出された受信品質に対応するストリーム信号のデータ形式よりも、よりエラー耐性の得られるデータ形式の子チャンネルのストリーム信号を選択するように前記切替え手段を制御する制御手段と、
を備え、
前記適合情報は、前記受信品質に対してエラー耐性が適合するストリーム信号のデータ形式として、画像データのデータ形式および文字データのデータ形式を含むとともに、前記画像データのデータ形式が前記文字データのデータ形式より、よりエラー耐性の得られるデータ形式であるとして、前記画像データのデータ形式および文字データのデータ形式と受信品質とが関連付けられていること、
を特徴とするデジタル受信装置。
【請求項２】
前記適合情報は、前記受信品質に対してエラー耐性が適合するストリーム信号のデータ形式として、更に映像データのデータ形式を含むとともに、前記映像データのデータ形式が前記画像データのデータ形式より、よりエラー耐性の得られるデータ形式であるとして、前記画像データのデータ形式および映像データのデータ形式と受信品質とが関連付けられていること、
を特徴とする請求項１に記載のデジタル受信装置。
【請求項３】
前記適合情報は、前記受信品質の所定範囲ごとに、前記データ形式との関連付けがなされていること、
を特徴とする請求項１に記載の受信装置。
【請求項４】
前記検出手段は、前記受信品質として、前記復調された復調信号のビット誤差率を検出すること、
を特徴とする請求項１に記載の受信装置。
【請求項５】
複数の子チャンネルのストリーム信号が多重化され、該多重化された信号が所定の変調方式により変調されて伝送されてくるグループチャンネルの信号を受信する受信方法であって、
受信した前記グループチャンネルの信号を復調する復調工程と、
前記受信したグループチャンネルの受信品質を検出する検出工程と、
前記復調工程で復調された復調信号を、前記複数の子チャンネルのストリーム信号に分離する情報分離工程と、
前記情報分離工程で分離され切替え工程で選択される子チャンネルのストリーム信号をデコードするデコード工程と、
受信品質と該受信品質に対してエラー耐性が適合するストリーム信号のデータ形式とを関連付ける適合情報が予め記憶されている記憶手段を検索することで、前記検出工程で検出された受信品質に対応するストリーム信号のデータ形式を前記適合情報から検索し、前記切替え工程で選択されているストリーム信号のデータ形式と前記検索したストリーム信号のデータ形式とが一致しない場合に、前記検出された受信品質に対応するストリーム信号のデータ形式よりも、よりエラー耐性の得られるデータ形式の子チャンネルのストリーム信号を選択するように前記切替え工程を制御する制御工程と、
を備え、
前記適合情報は、前記受信品質に対してエラー耐性が適合するストリーム信号のデータ形式として、画像データのデータ形式および文字データのデータ形式を含むとともに、前記画像データのデータ形式が前記文字データのデータ形式より、よりエラー耐性の得られるデータ形式であるとして、前記画像データのデータ形式および文字データのデータ形式と受信品質とが関連付けられていること、
を特徴とする受信方法。
【請求項６】
複数の子チャンネルのストリーム信号が多重化され、該多重化された信号が所定の変調方式により変調されて伝送されてくるグループチャンネルの信号を受信するデジタル受信装置に設けられているコンピュータに実行させる、コンピュータプログラムであって、
受信した前記グループチャンネルの信号を復調する復調ステップと、
前記受信したグループチャンネルの受信品質を検出する検出ステップと、
前記復調ステップで復調された復調信号を、前記複数の子チャンネルのストリーム信号に分離する情報分離ステップと、
前記情報分離ステップで分離され切替えステップで選択される子チャンネルのストリーム信号をデコードするデコードステップと、
受信品質と該受信品質に対してエラー耐性が適合するストリーム信号のデータ形式とを関連付ける適合情報が予め記憶されている記憶手段を検索することで、前記検出ステップで検出された受信品質に対応するストリーム信号のデータ形式を前記適合情報から検索し、前記切替えステップで選択されているストリーム信号のデータ形式と前記検索したストリーム信号のデータ形式とが一致しない場合に、前記検出された受信品質に対応するストリーム信号のデータ形式よりも、よりエラー耐性の得られるデータ形式の子チャンネルのストリーム信号を選択するように前記切替えステップを制御する制御ステップと、
を備え、
前記適合情報は、前記受信品質に対してエラー耐性が適合するストリーム信号のデータ形式として、画像データのデータ形式および文字データのデータ形式を含むとともに、前記画像データのデータ形式が前記文字データのデータ形式より、よりエラー耐性の得られるデータ形式であるとして、前記画像データのデータ形式および文字データのデータ形式と受信品質とが関連付けられていること、
を特徴とするコンピュータプログラム。
【請求項７】
複数の子チャンネルのストリーム信号が多重化され、該多重化された信号が所定の変調方式により変調されて伝送されてくるグループチャンネルの信号を受信するデジタル受信装置に設けられているコンピュータに実行させるコンピュータプログラムが記録された記録媒体であって、
前記コンピュータプログラムには、
受信した前記グループチャンネルの信号を復調する復調ステップと、
前記受信したグループチャンネルの受信品質を検出する検出ステップと、
前記復調ステップで復調された復調信号を、前記複数の子チャンネルのストリーム信号に分離する情報分離ステップと、
前記情報分離ステップで分離され切替えステップで選択される子チャンネルのストリーム信号をデコードするデコードステップと、
受信品質と該受信品質に対してエラー耐性が適合するストリーム信号のデータ形式とを関連付ける適合情報が予め記憶されている記憶手段を検索することで、前記検出ステップで検出された受信品質に対応するストリーム信号のデータ形式を前記適合情報から検索し、前記切替えステップで選択されているストリーム信号のデータ形式と前記検索したストリーム信号のデータ形式とが一致しない場合に、前記検出された受信品質に対応するストリーム信号のデータ形式よりも、よりエラー耐性の得られるデータ形式の子チャンネルのストリーム信号を選択するように前記切替えステップを制御する制御ステップと、
が備えられ、
前記適合情報は、前記受信品質に対してエラー耐性が適合するストリーム信号のデータ形式として、画像データのデータ形式および文字データのデータ形式を含むとともに、前記画像データのデータ形式が前記文字データのデータ形式より、よりエラー耐性の得られるデータ形式であるとして、前記画像データのデータ形式および文字データのデータ形式と受信品質とが関連付けられていること、
を特徴とする記録媒体。
【発明の詳細な説明】
【技術分野】
【０００１】
本発明は、例えば、デジタルラジオ放送システムや、デジタルテレビ放送システム、デジタル通信システム、インターネットプロトコルをベースとするデジタル伝送システム等に対応したデジタル受信装置に関する。
【背景技術】
【０００２】
近年、映像や音声、文字データ等の各種情報を多重化して伝送するデジタル伝送システムの進展が図られ、例えば、ＩＳＤＢ（Integrated Services Degital Broadcasting）等では、あらゆる情報をデジタルデータとして扱う総合デジタル放送を目指して、サービスの多様化に対応した柔軟なサービス編成が行われつつある。
【０００３】
一方、放送局等から伝送されてくる伝送信号を受信するデジタル受信装置側では、受信品質を考慮した対策が講じられ、例えば、自動車等の移動体に搭載されるデジタル受信装置では、移動中に建物等に影響されて電界強度が変化したり各種フェージングを招来した到来電波を受信した場合でも、ユーザにとって有用な情報を切れ目なく提供するための対策が講じられている。
【０００４】
特開２００３−２７４３０２号公報に開示されているデジタル放送受信装置では、放送局側から伝送されてくるマルチキャリア変調伝送方式の電波を受信し、上述の電界強度の変化や各種フェージングを招来した到来電波を受信した場合、よりエラー耐性の良い変調方式で変調されている変調信号を選択して復調することで、ユーザにとって有用な情報を切れ目なく提供することとしている。
【０００５】
すなわち、放送局側が、放送番組をエラー耐性の異なる変調方式（ＤＱＰＳＫ、ＱＰＳＫ、１６ＱＡＭ、６４ＱＡＭ等）によって変調し、複数の狭帯域チャンネルに割り当てて広帯域伝送するマルチキャリア伝送方式によって伝送すると、デジタル放送受信装置は、電界強度の変化や各種フェージングを招来した到来電波を受信した場合、エラー耐性の良い変調方式で変調されている変調信号を選択して復調することで、ユーザにとって有用な情報を切れ目なく提供することとしている。
【０００６】
【特許文献１】特開２００３−２７４３０２号公報
【発明の開示】
【発明が解決しようとする課題】
【０００７】
ところで、上記従来のデジタル放送受信装置は、マルチキャリア伝送方式に対応したデジタル受信装置であり、シングルキャリア伝送方式に対応したデジタル受信装置とはなっていない。
【０００８】
すなわち、このデジタル放送受信装置は、エラー耐性の良い変調方式で変調されている変調信号を選択するためには、受信中の狭帯域チャンネルを別の狭帯域チャンネルに切り替える必要があることから、マルチキャリア伝送方式に対応したデジタル受信装置であり、シングルキャリア伝送方式に対応していない。
【０００９】
このため、例えば衛星放送と地上波放送のように、異なる伝送方式（マルチキャリア伝送方式とシングルキャリア伝送方式）で合成して伝送されてくる電波を受信する場合には、エラー耐性の良い変調方式で変調されている変調信号を選択するという切り替え機能を発揮することができず、有用な情報を切れ目なくユーザに提供することができないという課題がある。
【００１０】
また、この従来のデジタル放送受信装置によって有用な情報を切れ目なくユーザに提供するためには、デジタル放送受信装置側と放送局側で共に新たなインフラ整備が必要となるという課題がある。
【００１１】
本発明は、こうした従来の課題に鑑みてなされたものであり、受信品質が悪化するような場合でも、ユーザに有用な情報を切れ目なく提供することが可能な新規なデジタル受信装置を提供することを目的とする。
【課題を解決するための手段】
【００１２】
請求項１に記載の発明は、複数の子チャンネルのストリーム信号が多重化され、該多重化された信号が所定の変調方式により変調されて伝送されてくるグループチャンネルの信号を受信するデジタル受信装置であって、受信した前記グループチャンネルの信号を復調する復調手段と、前記受信したグループチャンネルの受信品質を検出する検出手段と、前記復調手段によって復調された復調信号を、前記複数の子チャンネルのストリーム信号に分離する情報分離手段と、前記情報分離手段で分離され、切替え手段で選択されて供給される子チャンネルのストリーム信号をデコードするデコード手段と、受信品質と該受信品質に対してエラー耐性が適合するストリーム信号のデータ形式とを関連付ける適合情報を予め記憶する記憶手段と、前記検出手段で検出された受信品質に対応するストリーム信号のデータ形式を、前記記憶手段に記憶されている適合情報から検索し、前記切替え手段で選択されているストリーム信号のデータ形式と前記検索したストリーム信号のデータ形式とが一致しない場合に、前記検出された受信品質に対応するストリーム信号のデータ形式よりも、よりエラー耐性の得られるデータ形式の子チャンネルのストリーム信号を選択するように前記切替え手段を制御する制御手段と、を備え、前記適合情報は、前記受信品質に対してエラー耐性が適合するストリーム信号のデータ形式として、画像データのデータ形式および文字データのデータ形式を含むとともに、前記画像データのデータ形式が前記文字データのデータ形式より、よりエラー耐性の得られるデータ形式であるとして、前記画像データのデータ形式および文字データのデータ形式と受信品質とが関連付けられていること、を特徴とする。
【００１３】
請求項５に記載の発明は、複数の子チャンネルのストリーム信号が多重化され、該多重化された信号が所定の変調方式により変調されて伝送されてくるグループチャンネルの信号を受信する受信方法であって、受信した前記グループチャンネルの信号を復調する復調工程と、前記受信したグループチャンネルの受信品質を検出する検出工程と、前記復調工程で復調された復調信号を、前記複数の子チャンネルのストリーム信号に分離する情報分離工程と、前記情報分離工程で分離され切替え工程で選択される子チャンネルのストリーム信号をデコードするデコード工程と、受信品質と該受信品質に対してエラー耐性が適合するストリーム信号のデータ形式とを関連付ける適合情報が予め記憶されている記憶手段を検索することで、前記検出工程で検出された受信品質に対応するストリーム信号のデータ形式を前記適合情報から検索し、前記切替え工程で選択されているストリーム信号のデータ形式と前記検索したストリーム信号のデータ形式とが一致しない場合に、前記検出された受信品質に対応するストリーム信号のデータ形式よりも、よりエラー耐性の得られるデータ形式の子チャンネルのストリーム信号を選択するように前記切替え工程を制御する制御工程と、を備え、前記適合情報は、前記受信品質に対してエラー耐性が適合するストリーム信号のデータ形式として、画像データのデータ形式および文字データのデータ形式を含むとともに、前記画像データのデータ形式が前記文字データのデータ形式より、よりエラー耐性の得られるデータ形式であるとして、前記画像データのデータ形式および文字データのデータ形式と受信品質とが関連付けられていること、を特徴とする。
【００１４】
請求項６に記載の発明は、複数の子チャンネルのストリーム信号が多重化され、該多重化された信号が所定の変調方式により変調されて伝送されてくるグループチャンネルの信号を受信するデジタル受信装置に設けられているコンピュータに実行させる、コンピュータプログラムであって、受信した前記グループチャンネルの信号を復調する復調ステップと、前記受信したグループチャンネルの受信品質を検出する検出ステップと、前記復調ステップで復調された復調信号を、前記複数の子チャンネルのストリーム信号に分離する情報分離ステップと、前記情報分離ステップで分離され切替えステップで選択される子チャンネルのストリーム信号をデコードするデコードステップと、受信品質と該受信品質に対してエラー耐性が適合するストリーム信号のデータ形式とを関連付ける適合情報が予め記憶されている記憶手段を検索することで、前記検出ステップで検出された受信品質に対応するストリーム信号のデータ形式を前記適合情報から検索し、前記切替えステップで選択されているストリーム信号のデータ形式と前記検索したストリーム信号のデータ形式とが一致しない場合に、前記検出された受信品質に対応するストリーム信号のデータ形式よりも、よりエラー耐性の得られるデータ形式の子チャンネルのストリーム信号を選択するように前記切替えステップを制御する制御ステップと、を備え、前記適合情報は、前記受信品質に対してエラー耐性が適合するストリーム信号のデータ形式として、画像データのデータ形式および文字データのデータ形式を含むとともに、前記画像データのデータ形式が前記文字データのデータ形式より、よりエラー耐性の得られるデータ形式であるとして、前記画像データのデータ形式および文字データのデータ形式と受信品質とが関連付けられていること、を特徴とする。
【００１５】
請求項７に記載の発明は、複数の子チャンネルのストリーム信号が多重化され、該多重化された信号が所定の変調方式により変調されて伝送されてくるグループチャンネルの信号を受信するデジタル受信装置に設けられているコンピュータに実行させるコンピュータプログラムが記録された記録媒体であって、前記コンピュータプログラムには、受信した前記グループチャンネルの信号を復調する復調ステップと、前記受信したグループチャンネルの受信品質を検出する検出ステップと、前記復調ステップで復調された復調信号を、前記複数の子チャンネルのストリーム信号に分離する情報分離ステップと、前記情報分離ステップで分離され切替えステップで選択される子チャンネルのストリーム信号をデコードするデコードステップと、受信品質と該受信品質に対してエラー耐性が適合するストリーム信号のデータ形式とを関連付ける適合情報が予め記憶されている記憶手段を検索することで、前記検出ステップで検出された受信品質に対応するストリーム信号のデータ形式を前記適合情報から検索し、前記切替えステップで選択されているストリーム信号のデータ形式と前記検索したストリーム信号のデータ形式とが一致しない場合に、前記検出された受信品質に対応するストリーム信号のデータ形式よりも、よりエラー耐性の得られるデータ形式の子チャンネルのストリーム信号を選択するように前記切替えステップを制御する制御ステップと、が備えられ、前記適合情報は、前記受信品質に対してエラー耐性が適合するストリーム信号のデータ形式として、画像データのデータ形式および文字データのデータ形式を含むとともに、前記画像データのデータ形式が前記文字データのデータ形式より、よりエラー耐性の得られるデータ形式であるとして、前記画像データのデータ形式および文字データのデータ形式と受信品質とが関連付けられていること、を特徴とする。
【発明を実施するための最良の形態】
【００１６】
本発明の実施の形態に係るデジタル受信装置について図１を参照して説明する。
【００１７】
図１（ａ）は、このデジタル受信装置の構成を表したブロック図、図１（ｂ）は、このデジタル受信装置の機能を説明するための図である。
【００１８】
図１（ａ）において、このデジタル受信装置１は、復調部２と、誤り訂正部３、情報分離部４、デコード部５及び制御部６を有している。
【００１９】
復調部２は、受信した変調信号Ｓ１を復調することにより、復調信号Ｓ２を生成して出力する。
【００２０】
例えば、デジタルラジオ放送やデジタルテレビジョン放送を受信するチューナ部（図示略）が復調部２に接続されたり、インターネット等を介して伝送されてきた伝送信号を受信するレシーバが復調部２に接続されていると、復調部２は、これらチューナ部やレシーバから出力される所定の変調方式（ＤＱＰＳＫ、ＱＰＳＫ、１６ＱＡＭ、６４ＱＡＭ等）で変調されている変調信号Ｓ１を復調することにより、復調信号Ｓ２を生成して出力する。
【００２１】
誤り訂正部３は、復調信号Ｓ２を誤り訂正し、該誤り訂正後の復調信号Ｓ３を出力する。更に、誤り訂正を行う際、復調信号Ｓ２のビット誤り率（Bit Error Rate：ＢＥＲ）を測定し、該ビット誤り率を受信品質検出信号Ｓerrとして出力する。
【００２２】
情報分離部４は、復調信号Ｓ３をストリーム再生することにより、復調信号Ｓ３に多重化されている映像チャンネルや音声チャンネル、文字データチャンネル等の各チャンネルの信号を、各チャンネル別のストリーム信号Ｓ４に分離して出力する。
【００２３】
別言すれば、復調信号Ｓ３は階層化プロトコルに従って映像信号や音声信号、文字データ等が多重化されたチャンネル構造を有していることから、情報分離部４が、復調信号Ｓ３をストリーム再生することにより、映像チャンネルの映像ストリーム信号、映像チャンネルの音声ストリーム信号、文字データチャンネルの文字データストリーム信号等に分離して出力する。
【００２４】
更に、情報分離部４は、ストリーム再生した各ストリーム信号Ｓ４のデータ形式を判別すると共に、各ストリーム信号Ｓ４のデータ形式を示すデータ形式判別信号Ｓinfを出力する。例えば、夫々のストリーム信号Ｓ４が、ＭＰＥＧ-１、ＭＰＥＧ-２、ＭＰＥＧ-４、ＪＰＥＧ、ＡＣ-３等のデータ圧縮方式や、ＴＸＴ、ＢＭＰ等の無圧縮方式のデータ形式である場合、これらのデータ形式を判別することによって、データ形式判別信号Ｓinfを出力する。
【００２５】
デコード部５は、映像や音声、文字データ等の各チャンネル毎に分離されたストリーム信号Ｓ４のうち、制御部６から供給される切替え制御信号Ｓcntによって指定されたストリーム信号をデコードすることにより、データ圧縮される前の信号Ｓ５に戻して出力する。
【００２６】
より具体的に述べれば、デコード部５は、夫々のストリーム信号Ｓ４のうち、映像ストリーム信号が切替え制御信号Ｓcntによって指定された場合、その映像ストリーム信号がＭＰＥＧ-２やＪＰＥＧ等のデータ圧縮方式でデータ圧縮されていると、ＭＰＥＧ-２やＪＰＥＧ等のデータ圧縮方式に準拠したデータ伸張処理を行うことで、データ圧縮される前の映像信号Ｓ５に戻して出力する。また、音声ストリーム信号が切替え制御信号Ｓcntによって指定された場合、その音声ストリーム信号がＡＣ-３等のデータ圧縮方式でデータ圧縮されていると、ＡＣ-３等のデータ圧縮方式に準拠したデータ伸張処理を行うことで、データ圧縮される前の音声信号Ｓ５に戻して出力する。また、文字データストリーム信号が無圧縮データ形式のキャラクタコードデータからなるストリーム信号であった場合、その文字データストリーム信号が切替え制御信号Ｓcntによって指定された場合には、データ伸張処理を行うことなく、文字データストリーム信号をそのままキャラクタコードデータＳ５として出力する。
【００２７】
そして、デコード部５から出力される映像信号や文字データをディスプレイ等を表示手段（図示略）に供給することによって映像や文字を表示させ、また音声信号をスピーカシステム等（図示略）に供給することによって音声を再生して出力させるようになっている。
【００２８】
制御部６は、情報分離部４から出力される複数チャンネルのストリーム信号Ｓ４のうち、デコード部５でデコードさせるべきストリーム信号を制御信号Ｓcntによって指令する。
【００２９】
ここで、制御部６は、次に述べる方法によって、デコード部５でデコードさせるべきストリーム信号を判断するようになっている。
【００３０】
まず、制御部６には、図１（ｂ）に例示するような、受信品質の良否を判断する際の基準となる個々のビット誤り率（ＢＥＲ）に対して、チャンネル毎のストリーム信号の好適なデータ形式を示すデータを対応付けることで、個々のビット誤り率とデータ形式との適合関係がルックアップテーブルの形式でマップ化された適合データを記憶した記憶部（以下「データテーブル」という）ＴＢＬが設けられている。
【００３１】
ユーザが操作部（図示略）を操作して所望のチャンネルを選択すると、制御部６は、該選択されたチャンネルのストリーム信号のデータ形式Ｄtypを、データ形式判別信号Ｓinfに基づいて検出し、更に、現在受信中のビット誤り率を受信品質検出信号Ｓerrに基づいて検出する。
【００３２】
そして、現在受信中のビット誤り率、すなわち実測したビット誤り率（ＢＥＲ）と等しいビット誤り率（ＢＥＲ）に関連付けられているデータ形式をデータテーブルＴＢＬから検索し、その検索したデータ形式が上述の検出したデータ形式Ｄtypと適合しているか判断する。
【００３３】
そして更に、データテーブルＴＢＬから検索したデータ形式がデータ形式Ｄtypと適合している場合には、制御部６は、現在受信中の受信品質に適合したデータ形式Ｄtypのストリーム信号（別言すれば、チャンネル）が選択されていると判断し、その選択されたチャンネルのストリーム信号をデコードさせるべく、制御信号Ｓcntによってデコード部５を制御する。
【００３４】
一方、データテーブルＴＢＬから検索したデータ形式がデータ形式Ｄtypと適合していない場合には、現在受信中の受信品質に適合したデータ形式Ｄtypのストリーム信号（別言すれば、チャンネル）が選択されていないと判断する。そして、実測したビット誤り率（ＢＥＲ）よりも悪いビット誤り率に関連付けられているデータ形式、別言すれば、実測した受信品質に対して、より劣化の少ないデータ形式をデータテーブルＴＢＬから検索し、その検索したデータ形式のストリーム信号をデコードさせるべく、制御信号Ｓcntによってデコード部５を制御する。
【００３５】
例えば、実測したビット誤り率（ＢＥＲ）の値が１０-7であった場合、１０-7よりも悪いビット誤り率に関連付けられている、よりエラー耐性の良好なＭＰＥＧ-４のデータ形式のストリーム信号をデコードさせるべく、制御信号Ｓcntによってデコード部５を制御する。
【００３６】
このように、実測したビット誤り率（ＢＥＲ）とユーザが選択したチャンネルのストリーム信号のデータ形式Ｄtypとに対する、データテーブルＴＢＬに記憶されているビット誤り率（ＢＥＲ）とデータ形式との関係に適合していない場合に別のチャンネルを受信するように切り替えることにより、たとえ受信品質が悪化した場合であっても、例えば放送局から送られてくる各チャンネルの放送番組等を、より受信品質の良い状態の下で、切れ目無くユーザに提供する。
【００３７】
以上説明したように、本実施形態のデジタル受信装置１によれば、受信中のストリーム信号のデータ形式ＤtypがデータテーブルＴＢＬに記憶されているデータ形式と適合しているかビット誤差率に基づいて判断し、適合していない場合に、別のチャンネルのストリーム信号を受信するように所謂チャンネル切り替えを行うので、ユーザに対して有用な情報を、より受信品質の良い状態の下で、切れ目なく提供することが可能となっている。
【００３８】
また、本実施形態のデジタル受信装置１は、受信品質が悪化した場合に、エラー耐性の良い変調方式で変調されている変調信号を選択して復調するのではなく、復調部２で復調した復調信号Ｓ２を誤り訂正部３で誤り訂正し、更に情報分離部４でストリーム再生した後のストリーム信号Ｓ４について、切り替え処理を行うことで所謂チャンネル切り替えを行うので、マルチキャリア伝送方式やシングルキャリア伝送方式等の種々の伝送方式を問わず、ユーザに対して有用な情報を切れ目なく提供することが可能である。
【００３９】
なお、本実施形態では、ビット誤り率に基づいて、受信中のストリーム信号のデータ形式ＤtypがデータテーブルＴＢＬに記憶されているデータ形式と適合しているか判断し、適合していない場合に、別のチャンネルのストリーム信号を受信するように所謂チャンネル切り替えを行うようにしているが、ビット誤り率以外の受信品質を検出することが可能な物理情報、例えば受信感度等に基づいて、受信中のストリーム信号のデータ形式ＤtypがデータテーブルＴＢＬに記憶されているデータ形式と適合しているか判断するようにしてもよい。
【実施例】
【００４０】
次に、デジタル受信装置のより具体的な実施例を図２及び図３を参照して説明する。図２（ａ）は、本実施例のデジタル受信装置の構成を表したブロック図であり、図１と同一又は相当する部分を同一符号で示している。図２（ｂ）は、デジタルラジオ放送等の放送波の構造を説明するための図、図３は、このデジタル受信装置の動作を説明するためのフロ−チャートである。
【００４１】
図２において、このデジタル受信装置１は、デジタルラジオ放送局ＢＲから送信される放送波を受信するアンテナＡＮＴが接続されたチューナ部７と、復調部２，誤り訂正部３、情報分離部４、デコード部５、切り替え制御部６、操作部８を備えて構成されている。
【００４２】
ここで、放送局ＢＲから送出される放送波の構造を説明すると、図２（ｂ）に例示するように、文字データ放送チャンネルｃｈ.a(1)、複数の映像放送チャンネルｃｈ.a(2)〜ｃｈ.a(m)、複数の音声放送チャンネルｃｈ.b(1)〜ｃｈ.b(n)等の複数のチャンネルをグループチャンネルｃｈ.Ｘに割り当てて所定の伝送周波数帯域に多重化して送信するようになっている。
【００４３】
したがって、受信装置側で、放送チャンネルｃｈ.Ｘを同調受信すると、多重化されている文字データ放送チャンネルｃｈ.a(1)、複数の映像放送チャンネルｃｈ.a(2)〜ｃｈ.a(m)、複数の音声放送チャンネルｃｈ.b(1)〜ｃｈ.b(n)等の夫々の情報を取得することが可能となっている。
【００４４】
なお、説明の便宜上、グループチャンネルｃｈ.Ｘに含まれている文字データ放送チャンネルｃｈ.a(1)、映像放送チャンネルｃｈ.a(2)〜ｃｈ.a(m)、音声放送チャンネルｃｈ.b(1)〜ｃｈ.b(n)等を子チャンネルと呼ぶこととする。
【００４５】
再び、デジタル受信装置１の構成を述べると、チューナ部７は、アンテナＡＮＴに生じる受信信号Ｓinを高周波増幅し、局部発振周波数の局発信号と混合することによって、周波数変換した中間周波数の変調信号Ｓ１を生成して出力する。
【００４６】
復調部２と誤り訂正部３と情報分離部４は、図１に示したデジタル受信装置と同様の構成及び機能を有しており、復調部２が所定の変調方式（ＤＱＰＳＫ、ＱＰＳＫ、１６ＱＡＭ、６４ＱＡＭ等）で変調されている変調信号Ｓ１を復調信号Ｓ２に復調し、誤り訂正部３が復調信号Ｓ２を誤り訂正して、誤り訂正後の復調信号Ｓ３を出力すると共に、ビット誤り率（ＢＥＲ）を検出して受信品質検出信号Ｓerrを出力し、情報分離部４が、復調信号Ｓ３をストリーム再生することによって、復調信号Ｓ３に多重化されている映像チャンネルや音声チャンネル、文字データチャンネル等の各チャンネルの信号を、各チャンネル毎のストリーム信号Ｓ4a(1)〜Ｓ4a(m)，Ｓ4b(1)〜Ｓ4b(n)に分離して出力する。
【００４７】
すなわち、上述のグループチャンネルｃｈ.Ｘを受信した場合、情報分離部４は、文字データ放送チャンネルｃｈ.a(1)のストリーム信号Ｓ4a(1)と、映像放送チャンネルｃｈ.a(2)〜ｃｈ.a(m)のストリーム信号Ｓ4a(2)〜Ｓ4a(m)、音声放送チャンネルｃｈ.b(1)〜ｃｈ.b(n)のストリーム信号Ｓ4b(1)〜Ｓ4b(n)に分離して出力する。
【００４８】
デコード部５は、情報分離部４から出力される文字データのストリーム信号Ｓ4a(1)と映像ストリーム信号Ｓ4a(2)〜Ｓ4a(m)を、制御部６からの切替え制御信号Ｓcntの指示に従って切替選択して出力する第１の切替え部ＳＷaと、情報分離部４から出力される音声ストリーム信号Ｓ4b(1)〜Ｓ4b(n)を、制御部６からの切替え制御信号Ｓcntの指示に従って切替選択して出力する第２の切替え部ＳＷbを備えると共に、第１の切替え部ＳＷaから出力されるストリーム信号（符号略）をデータ伸張することにより、データ圧縮される前の映像信号Ｓ5aに戻して出力する映像デコード部５ａと、第２の切替え部ＳＷbから出力されるストリーム信号（符号略）をデータ伸張することにより、データ圧縮される前の音声信号Ｓ5bに戻して出力する音声デコード部５ｂを備えて構成されている。
【００４９】
ただし、映像デコード部５ａは、無圧縮データ形式の文字データストリーム信号Ｓ4a(1)が供給された場合、データ伸張処理を行わずそのまま出力するようになっている。
【００５０】
制御部６は、ユーザが操作部８を操作して、グループチャンネルｃｈ.Ｘと所望の子チャンネルを選択すると、切替え制御信号Ｓcntによって第１，第２の切替え部ＳＷa，ＳＷbを指令することにより、ストリーム信号Ｓ4a(1)〜Ｓ4a(m)，Ｓ4b(1)〜Ｓ4b(n)のうち、ユーザが選択した子チャンネルのストリーム信号を映像デコード部５ａ又は音声デコード部５ｂに供給させる。
【００５１】
また、制御部６は、上述の実施形態のデジタル受信装置と同様に、各ストリーム信号Ｓ4a(1)〜Ｓ4a(m)，Ｓ4b(1)〜Ｓ4b(n)のデータ形式を示すデータ形式判別信号Ｓinfと、ビット誤差率（ＢＥＲ）を示す受信品質検出信号Ｓerrを入力する。
【００５２】
また、制御部６は、図１（ｂ）に例示したような、ビット誤り率（ＢＥＲ）と各種データ形式とが適合関係を持って関連付けられている適合データが記憶されているデータテーブルＴＢＬが設けられている。
【００５３】
次に、かかる構成を有するデジタル受信装置１の動作を図３を参照して説明する。
【００５４】
図３において、ユーザが操作部８を操作して、所望のグループチャンネルｃｈ.Ｘを選択し（ステップＳＴ１）、更に所望の子チャンネルを選択すると（ステップＳＴ２）、チューナ部７が、当該グループチャンネルｃｈ.Ｘに同調して受信を開始し、更に、情報分離部４が子チャンネルｃｈ.ａ(1)〜ｃｈ.ａ(m)，ｃｈ.b(1)〜ｃｈ.b(n)のストリーム信号Ｓ4a(1)〜Ｓ4a(m)，Ｓ4b(1)〜Ｓ4b(n)を出力する。
【００５５】
次に、制御部６が、ストリーム信号Ｓ4a(1)〜Ｓ4a(m)，Ｓ4b(1)〜Ｓ4b(n)のデータ形式を判別し（ステップＳＴ３）、次にビット誤り率を測定する（ステップＳＴ４）。
【００５６】
次に、制御部６が、実測したビット誤り率（ＢＥＲ）とユーザが選択した子チャンネルのストリーム信号のデータ形式Ｄtypとが、データテーブルＴＢＬに記憶されているビット誤り率（ＢＥＲ）とデータ形式との関係に適合しているか判断する。
【００５７】
すなわち、図１（ｂ）を参照して説明したように、実測したビット誤り率（ＢＥＲ）と等しいビット誤り率（ＢＥＲ）に関連付けられているデータ形式をデータテーブルＴＢＬから検索し、その検索したデータ形式が上述の検出したデータ形式Ｄtypと適合しているか判断する。
【００５８】
そして、適合していれば、ステップＳＴ６へ移行し、不適合であれば、ステップＳＴ８へ移行する。
【００５９】
そして、ステップＳＴ６では、現在受信中の受信品質に適合したデータ形式Ｄtypのストリーム信号（別言すれば、子チャンネル）が選択されていると判断し、そのユーザが選択した子チャンネルのストリーム信号をデコードさせるべく、デコード部５を制御し、次に、ステップＳＴ７において、ユーザから受信終了の指示がなされたか判断して、終了の指示がなされていれば処理を終了し、終了の指示がなければ、ステップＳＴ４からの処理を繰り返す。
【００６０】
次に、ステップＳＴ８に移行した場合には、ユーザが選択した子チャンネルのストリームのデータ形式とは異なる別のデータ形式のストリーム信号（別言すれば、別の子チャンネル）を選択する。
【００６１】
すなわち、実測したビット誤り率（ＢＥＲ）よりも悪いビット誤り率に関連付けられているデータ形式、別言すれば、実測した受信品質に対して、より劣化の少ないデータ形式をデータテーブルＴＢＬから検索し、その検索したデータ形式のストリーム信号をデコードさせるべく、制御信号Ｓcntによってデコード部５を制御する。
【００６２】
ここで、より劣化の少ないデータ形式として、データテーブルＴＢＬに記憶されている最も劣化の少ないデータ形式をデータテーブルＴＢＬから検索し、その検索したデータ形式のストリーム信号をデコードさせる。
【００６３】
次に、ステップＳＴ９において、現在の受信状態を継続し、ステップＳＴ７を介してステップＳＴ４に戻り、受信処理を繰り返す。
【００６４】
そして、ステップＳＴ８において別のデータ形式のストリーム信号に切り替えた後、ステップＳＴ６において、制御部６が、実測したビット誤り率（ＢＥＲ）とユーザが選択した子チャンネルのストリーム信号のデータ形式Ｄtypとが、データテーブルＴＢＬに記憶されているビット誤り率（ＢＥＲ）とデータ形式との関係に適合することとなったと判断すると、ユーザが選択している元のストリーム信号に戻して、デコード部５にデコードさせ、受信処理を継続する。
【００６５】
以上説明したように、本実施例のデジタル受信装置１によれば、受信品質が悪化した場合をビット誤差率によって実測し、受信中のストリーム信号のデータ形式ＤtypがデータテーブルＴＢＬに記憶されているデータ形式と適合していないときに、別のチャンネルのストリーム信号を受信するように所謂チャンネル切り替えを行うので、ユーザに対して有用な情報を、より受信品質の良い状態の下で、切れ目なく提供することが可能である。
【００６６】
また、本実施例のデジタル受信装置１は、受信品質が悪化した場合に、エラー耐性の良い変調方式で変調されている変調信号を選択して復調するのではなく、復調部２で復調した復調信号Ｓ２を誤り訂正部３で誤り訂正し、更に情報分離部４でストリーム再生した後のストリーム信号について、切り替え処理を行うことで所謂チャンネル切り替えを行うので、マルチキャリア伝送方式やシングルキャリア伝送方式等の種々の伝送方式を問わず、ユーザに対して有用な情報を切れ目なく提供することが可能である。
【００６７】
なお、以上に説明した本実施例のデジタル受信装置１では、図３中のステップＳＴ８において、より劣化の少ないデータ形式として、データテーブルＴＢＬに記憶されている最も劣化の少ないデータ形式をデータテーブルＴＢＬから検索することとしているが、より劣化の少ないデータ形式を選択する際のビット誤差率とデータ形式との対応関係を予め設定しておき、該対応関係に従って、より劣化の少ないデータ形式を検索するようにしてもよい。
【００６８】
また、制御部６をマイクロプロセッサ（ＭＰＵ）等で形成し、上述した制御部６の制御動作を行わせるためのコンピュータプログラムをマイクロプロセッサに実行させるようにしてもよい。
【００６９】
また、該コンピュータプログラムをＣＤやＤＶＤ等の記録媒体に記録しておき、上述のマイクロプロセッサにインストール等して実行させるようにしてもよい。
【００７０】
また、図２（ｂ）に示したデータテーブルＴＢＬに記憶される各種データ形式とビット誤差率との対応関係をユーザが適宜変更したり、新たなデータ形式のデータを記憶させるようにしてもよい。
【図面の簡単な説明】
【００７１】
【図１】本発明の実施の形態に係るデジタル受信装置の構成及び機能を説明するための図である。
【図２】実施例に係るデジタル受信装置の構成を説明するための図である。
【図３】図２に示したデジタル受信装置の動作を説明するためのフローチャートである。
【符号の説明】
【００７２】
１…デジタル受信装置
４…情報分離部
５…デコード部
６…制御部
【図１】
0004158940.tif 000002
【図２】
0004158940.tif 000003
【図３】
0004158940.tif 000004